【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
車両の後方の風景のビデオストリーム画像を供給するためのカメラを装備した前記車両のための表示システムであって、前記表示システムは、
前記ビデオストリーム画像を受信し、前記ビデオストリーム画像を処理するための画像処理ユニットと、
前記処理されたビデオストリーム画像を表示するための表示装置、とを備え、
前記ビデオストリーム画像の処理を実行するように、前記画像処理ユニットは、
前記ビデオストリーム画像におけるフリッカ光源を検出し、
前記検出されたフリッカ光源を第一のクラス及び第二のクラスを少なくとも含むいくつかの考え得る分類のうちの１つに分類し、
前記フリッカ光源の前記分類に基づいて、前記検出されたフリッカ光源を表示のために異なって処理するように構成され、
前記検出されたフリッカ光源の前記第一のクラスは、人が直接見たとき、人によって知覚できないフリッカを有し、検出されたフリッカ光源の前記第二のクラスは、人が直接見たとき、人によって知覚できるフリッカを有し、
前記処理は、
前記第一のクラスにあるフリッカ光源が検出される前記ビデオストリーム画像を選択し、そして、
前記選択されたビデオストリーム画像における前記第一のクラスの任意のフリッカ光源のフリッカを補正するよう前記選択されたビデオストリーム画像を修正することであって、前記画像処理ユニットが、前記検出されたフリッカ光源のそれぞれを表す画素がある状態に維持されて、前記処理されたビデオストリーム画像が表示されるとき、前記画素によって表される前記検出されたフリッカ光源のそれぞれが知覚できるフリッカを有さないように、前記選択されたビデオストリーム画像を修正し、
前記第二のクラスに分類されるフリッカ光源からのフリッカを補正するように前記ビデオストリーム画像を修正しないことにより、前記第二のクラスにおけるフリッカ光源が知覚できるフリッカを有するようにすることを含む、表示システム。
【請求項２】
前記画像処理ユニットは、前記ビデオストリーム画像の画像フレームを通して前記検出されたフリッカ光源を追跡するようさらに構成される、請求項１に記載の表示システム。
【請求項３】
前記検出されたフリッカ光源のそれぞれは、オフ期間からの低画素値をオン期間からの高画素値と置換することで維持される、請求項１に記載の表示システム。
【請求項４】
前記画像処理ユニットは、前記検出されたフリッカ光源のそれぞれを表す前記画素がある状態に維持されて、前記処理されたビデオストリーム画像が表示されたとき、前記画素によって表される前記検出されたフリッカ光源のそれぞれが、知覚できるフリッカを有しないようにし、前記検出されたフリッカ光源のそれぞれの前記追跡に基づいて前記ビデオストリーム画像における所期の位置に見えるように、前記選択されたビデオストリーム画像を修正する、請求項２に記載の表示システム。
【請求項５】
前記画像処理ユニットは、方向指示灯または緊急車両光として分類されるフリッカ光源からのフリッカを補正するよう前記ビデオストリーム画像を修正しない、請求項１に記載の表示システム。
【請求項６】
前記第一のクラスに分類されるフリッカ光源が検出される前記ビデオストリーム画像は、第一のクラスに分類される前記検出されたフリッカ光源のそれぞれを表す画素を置換することで、前記検出されたフリッカ光源のそれぞれを表す前記画素が常にある状態にあるようにし、前記処理されたビデオストリーム画像が表示されたとき、前記第一のクラスに分類される前記検出されたフリッカ光源が、知覚できるフリッカを有しないように修正される、請求項１に記載の表示システム。
【請求項７】
前記画像処理ユニットは、前記フリッカ光源における前記フリッカの周波数が閾値周波数を上回る場合に前記検出されたフリッカ光源を前記第一のクラスに分類し、前記フリッカ光源における前記フリッカの周波数が前記閾値周波数を下回る場合に前記検出されたフリッカ光源を前記第二のクラスに分類する、請求項１に記載の表示システム。
【請求項８】
車両に取り付けるためのバックミラーアセンブリであって、請求項１、２及び４〜７のいずれか一項に記載の前記表示システムを備える、バックミラーアセンブリ。
【請求項９】
表示システムであって、
ビデオストリーム画像を受信し、前記ビデオストリーム画像を処理するための画像処理ユニットと、
前記処理されたビデオストリーム画像を表示するための表示装置、とを備え、
前記ビデオストリーム画像の処理を実行するように、前記画像処理ユニットは、
前記ビデオストリーム画像におけるフリッカ光源を検出し、
前記検出されたフリッカ光源を少なくとも２つのクラスに分類し、検出されたフリッカ光源の第一のクラスは、人が直接見たときに人によって知覚できないフリッカを有し、検出されたフリッカ光源の第二のクラスは、人が直接見たときに人によって知覚できるフリッカを有しており、
前記フリッカ光源の前記分類に基づいて、前記検出されたフリッカ光源を表示のために異なって処理するように構成され、当該処理は、
前記ビデオストリーム画像の画像フレームを通して前記検出されたフリッカ光源を追跡し、そして、
前記第一のクラスに分類されるフリッカ光源が検出される前記ビデオストリーム画像を、前記第一のクラスに分類される検出されたフリッカ光源のそれぞれを表す画素を置換することで、前記検出されたフリッカ光源を表す前記画素が常にある状態にあるようにし、前記処理されたビデオストリーム画像が表示されたとき、前記第一のクラスに分類される前記検出されたフリッカ光源のそれぞれが知覚できるフリッカを有しないように修正し、
前記第二のクラスに分類されるフリッカ光源からのフリッカを補正するように前記ビデオストリーム画像を修正しないことにより、前記第二のクラスにおけるフリッカ光源が知覚できるフリッカを有するようにすることを含む、表示システム。
【請求項１０】
前記画像処理ユニットは、前記フリッカ光源における前記フリッカの周波数が閾値周波数を上回る場合に前記検出されたフリッカ光源を前記第一のクラスに分類し、前記フリッカ光源における前記フリッカの周波数が前記閾値周波数を下回る場合に前記検出されたフリッカ光源を前記第二のクラスに分類する、請求項９に記載の表示システム。
【請求項１１】
前記検出されたフリッカ光源のそれぞれは、オフ期間からの低画素値をオン期間からの高画素値と置換することで維持される、請求項１０に記載の表示システム。
【請求項１２】
前記第二のクラスに分類されるフリッカ光源は、方向指示灯および緊急車両光を含む、請求項９に記載の表示システム。
【請求項１３】
車両に取り付けるためのバックミラーアセンブリであって、請求項９〜１２のいずれか一項に記載の前記表示システムを備える、バックミラーアセンブリ。
【請求項１４】
ビデオストリーム画像を処理する方法であって、
前記ビデオストリーム画像におけるフリッカ光源を検出し、
前記検出されたフリッカ光源を少なくとも２つのクラスに分類し、検出されたフリッカ光源の第一のクラスは人が直接見たときに人によって知覚できないフリッカを有し、検出されたフリッカ光源の第二のクラスは人が直接見たときに人によって知覚できるフリッカを有しており、
前記フリッカ光源の前記分類に基づいて、前記検出されたフリッカ光源を表示のために異なって処理することを含み、当該処理は、
前記ビデオストリーム画像の画像フレームを通して前記検出されたフリッカ光源を追跡し、そして、
前記第一のクラスに分類されるフリッカ光源が検出されるビデオストリーム画像を、前記第一のクラスに分類される前記検出されたフリッカ光源のそれぞれを表す画素を置換することで、前記検出されたフリッカ光源を表す画素が常にある状態にあるようにし、前記処理されたビデオストリーム画像が表示されたとき、前記第一のクラスに分類される前記検出されたフリッカ光源のそれぞれが知覚できるフリッカを有しないように修正し、
フリッカについて前記第二のクラスに分類されるフリッカ光源を補正しないことにより、前記第二のクラスにおけるフリッカ光源が知覚できるフリッカを有するようにすることを含む、方法。
【請求項１５】
前記検出されたフリッカ光源は、前記フリッカ光源における前記フリッカの周波数が閾値周波数を上回る場合に前記第一のクラスに分類され、前記フリッカ光源における前記フリッカの周波数が前記閾値周波数を下回る場合に前記第二のクラスに分類される、請求項１４に記載の方法。
【請求項１６】
前記第二のクラスに分類されるフリッカ光源は、方向指示灯および緊急車両光を含む、請求項１４に記載の方法。